(57)【要約】【課題】本体電極部と外部電極部のいずれでも、精度良く心電波形を測定できる携帯型心電計を提供すること。【解決手段】処理回路１５０を含む装置本体１００と外部電極ユニット２００とを備え、装置本体１００は、その表面に設けられた開閉可能なカバー１３０Ａと、カバー１３０Ａが閉状態である場合にカバー１３０Ａによって覆われ、かつ、カバー１３０Ａが開状態である場合に外部電極部ＥＬｂと電気的に接続されたコネクタ部２１０を接続可能な端子１３１と、本体電極部ＥＬａと、カバー１３０Ａが閉状態の場合に処理回路１５０と本体電極部ＥＬａとの間を導通状態にし、カバー１３０Ａが開状態の場合に処理回路１５０と本体電極部ＥＬａとの間を非導通に切り替えるための切替手段１３４，１３５とを含む。【選択図】図１
2009082364.tif 000002
【特許請求の範囲】
【請求項１】
生体から検知された電気信号を処理するための処理回路を含む筐体と、
外部電極部、前記筐体に接続するための第１のコネクタ部、および、前記外部電極部と前記コネクタ部とを電気的に接続するための第１ケーブルを含む外部電極ユニットとを備え、
前記筐体は、
前記筐体の表面に設けられた開閉可能な蓋体と、
前記蓋体が閉状態である場合に前記蓋体によって覆われ、かつ、前記蓋体が開状態である場合に前記第１のコネクタ部を接続可能な第１端子と、
前記筐体の表面に設けられた本体電極部と、
前記蓋体が閉状態の場合に前記処理回路と前記本体電極部との間を導通状態にし、前記蓋体が開状態の場合に前記処理回路と前記本体電極部との間を非導通に切り替えるための切替手段とを含む、携帯型心電計。
【請求項２】
前記筐体は、
前記蓋体の開閉を検知するための検知手段と、
前記検知手段からの出力に基づき前記本体電極部および前記外部電極部のうちどちらが前記処理回路と接続されているかを判別するための電極判別手段と、
前記処理回路により処理された心電波形データを、前記電極判別手段による判別結果と対応付けて記憶するための記憶手段とをさらに含む、請求項１に記載の携帯型心電計。
【請求項３】
前記筐体は、
前記記憶手段に記憶された前記心電波形データおよび前記判別結果を読み出すための読出手段と、
前記読出手段により読み出された前記心電波形データと前記判別結果とを関連付けて表示するための信号を生成する表示制御手段と、
前記表示制御手段による出力に応じた表示を行なう表示手段とをさらに含む、請求項２に記載の携帯型心電計。
【請求項４】
前記筐体と接続するための第２のコネクタ部、外部端末に接続するための第３のコネクタ部、および、前記第２のコネクタ部と前記第３のコネクタ部とを電気的に接続するための第２ケーブルを含む外部端末ユニットをさらに備え、
前記筐体は、前記蓋体が閉状態である場合に前記蓋体によって覆われ、かつ、前記蓋体が開状態である場合に前記第２のコネクタ部を接続可能な第２端子をさらに含む、請求項１に記載の携帯型心電計。
【請求項５】
前記第１のコネクタ部は、前記第１端子と接続された状態において、前記第２端子と前記第２のコネクタ部とを接続不能とするような第１遮蔽部を有する、請求項４に記載の携帯型心電計。
【請求項６】
前記第２のコネクタ部は、前記第２端子と接続された状態において、前記第１端子と前記第１のコネクタ部とを接続不能とするような第２遮蔽部を有する、請求項４に記載の携帯型心電計。
【請求項７】
前記本体電極部は、複数の電極を有し、
前記切替手段は、前記複数の電極それぞれに対応する複数のスイッチを有する、請求項１に記載の携帯型心電計。
【請求項８】
前記筐体は、前記蓋体の開閉状態を報知するための報知手段をさらに含む、請求項１に記載の携帯型心電計。
【請求項９】
生体から検知された電気信号を処理するための処理回路を含む筐体と、
前記筐体の表面に設けられた開閉可能な蓋体と、
前記蓋体が閉状態である場合に前記蓋体によって覆われ、かつ、前記蓋体が開状態である場合に、外部電極部と電気的に接続されたコネクタ部を接続可能な端子と、
前記筐体の表面に設けられた本体電極部と、
前記蓋体が閉状態の場合に前記処理回路と前記本体電極部との間を導通状態にし、前記蓋体が開状態の場合に前記処理回路と前記本体電極部との間を非導通に切り替えるための切替手段とを含む、携帯型心電計。
【発明の詳細な説明】
【技術分野】
【０００１】
本発明は、心電計に関し、特に、装置本体に設けられた本体電極部による測定と、装置本体にケーブルを介して接続可能な外部電極部による測定との２種類の測定方法で心電波形を測定可能な携帯型心電計に関する。
【背景技術】
【０００２】
従来より、心臓に不安を持つ被験者が常時携帯することのできる携帯型心電計が存在する。このような心電計に記憶された心電波形データは、後に専門医による診断等に用いられる。
【０００３】
このような携帯型心電計で採取した心電波形データを専門医に提示するために、外部端末を接続可能な携帯型心電計が提案されている。たとえば特許文献１には、生体情報をＰＣ等の外部端末へ出力する端子がカバーで覆われた携帯型心電計が開示されており、カバーを開くと、測定電極とアンプとの間のスイッチが非導通状態になることが記載されている。この発明によると、心電計を病院内の外部端末に接続しようとすると、測定電極とアンプとの間が非導通状態となるため、感電事故を防止することができる。
【０００４】
また、これに関連して、特許文献２には、測定電極を装置本体から接続ケーブルを用いて外部に引き出した構成を有する心電計において、心電計の装置本体と測定電極とを接続するための接続ケーブルと、心電計の装置本体と外部端末とを接続するための接続ケーブルとを同時に心電計の装置本体に接続できないような構成とすることにより、感電対策をとることが開示されている。
【特許文献１】特開２００５−２１１３８７号公報
【特許文献２】実開平５−９５０９号公報
【発明の開示】
【発明が解決しようとする課題】
【０００５】
ところで携帯型心電計の測定電極としては、装置本体の外表面に備えられたもの（本体電極部）と、装置本体から接続ケーブルを用いて外部に引き出した構成を有するもの（外部電極部）と２種類ある。
【０００６】
前者の測定電極の場合、病院外（たとえば家庭や外出時）においても複雑な操作をすることなく手軽に心電波形を測定できるというメリットがある。そのため、発作が起きた場合でも、その場で心電波形をとることができる。
【０００７】
後者の測定電極の場合は、測定中に被験者自身が自分の身体に電極を押し当てておく必要がないため、前者の測定電極で測定した場合に比べて、筋電等によるノイズを除去することができ、精度の高い心電波形を測定できるというメリットがある。
【０００８】
したがって、本体電極部と外部電極部との両方で心電波形を測定することのできる携帯型心電計が有用である。
【０００９】
しかしながら、上記した特許文献１および２では、携帯型心電計を外部端末と接続する際に、測定電極とアンプとの間は非導通状態とすることが開示されているが、本体電極部による測定と外部電極部による測定の両方ができる携帯型心電計において、精度の良い心電波形データを取得するための提案はなされていない。
【００１０】
本発明は、上記のような問題を解決するためになされたものであって、その目的は、本体電極部と外部電極部のいずれでも、精度良く心電波形を測定できる携帯型心電計を提供することである。
【課題を解決するための手段】
【００１１】
この発明のある局面に従う携帯型心電計は、生体から検知された電気信号を処理するための処理回路を含む筐体と、外部電極部、筐体に接続するための第１のコネクタ部、および、外部電極部とコネクタ部とを電気的に接続するための第１ケーブルを含む外部電極ユニットとを備える。筐体は、筐体の表面に設けられた開閉可能な蓋体と、蓋体が閉状態である場合に蓋体によって覆われ、かつ、蓋体が開状態である場合に第１のコネクタ部を接続可能な第１端子と、筐体の表面に設けられた本体電極部と、蓋体が閉状態の場合に処理回路と本体電極部との間を導通状態にし、蓋体が開状態の場合に処理回路と本体電極部との間を非導通に切り替えるための切替手段とを含む。
【００１２】
好ましくは、筐体は、蓋体の開閉を検知するための検知手段と、検知手段からの出力に基づき本体電極部および外部電極部のうちどちらが処理回路と接続されているかを判別するための電極判別手段と、処理回路により処理された心電波形データを、電極判別手段による判別結果と対応付けて記憶するための記憶手段とをさらに含む。
【００１３】
好ましくは、筐体は、記憶手段に記憶された心電波形データおよび判別結果を読み出すための読出手段と、読出手段により読み出された心電波形データと判別結果とを関連付けて表示するための信号を生成する表示制御手段と、表示制御手段による出力に応じた表示を行なう表示手段とをさらに含む。
【００１４】
好ましくは、筐体と接続するための第２のコネクタ部、外部端末に接続するための第３のコネクタ部、および、第２のコネクタ部と第３のコネクタ部とを電気的に接続するための第２ケーブルを含む外部端末ユニットをさらに備え、筐体は、蓋体が閉状態である場合に蓋体によって覆われ、かつ、蓋体が開状態である場合に第２のコネクタ部を接続可能な第２端子をさらに含む。
【００１５】
第１のコネクタ部は、第１端子と接続された状態において、第２端子と第２のコネクタ部とを接続不能とするような第１遮蔽部を有することが好ましい。
【００１６】
また、第２のコネクタ部は、第２端子と接続された状態において、第１端子と第１のコネクタ部とを接続不能とするような第２遮蔽部を有することが好ましい。
【００１７】
好ましくは、本体電極部は、複数の電極を有し、切替手段は、複数の電極それぞれに対応する複数のスイッチを有する。
【００１８】
好ましくは、筐体は、前記蓋体の開閉状態を報知するための報知手段をさらに含む。
この発明のある局面に従う携帯型心電計は、生体から検知された電気信号を処理するための処理回路を含む筐体と、筐体の表面に設けられた開閉可能な蓋体と、蓋体が閉状態である場合に蓋体によって覆われ、かつ、蓋体が開状態である場合に、外部電極部と電気的に接続されたコネクタ部を接続可能な端子と、筐体の表面に設けられた本体電極部と、蓋体が閉状態の場合に処理回路と本体電極部との間を導通状態にし、蓋体が開状態の場合に処理回路と本体電極部との間を非導通に切り替えるための切替手段とを含む。
【発明の効果】
【００１９】
本発明によると、外部電極ユニットを接続するための第１端子は、蓋体が閉状態である場合に蓋体によって覆われており、蓋体が開状態にされた場合に、処理回路と本体電極部とが非導通とされる。そのため、外部電極ユニットと筐体（本体）とが接続された場合には必ず処理回路と本体電極部との間は非導通となる。
【００２０】
したがって、本体電極部と外部電極部との両方で測定可能な携帯型心電計において、本体電極部と外部電極部のいずれで測定する場合でも、他方の電極部が原因となるノイズを除去することができる。したがって、いずれの電極部によって測定したとしても、精度良く心電波形を測定できる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態１］
（外観構成について）
まず、本実施の形態における携帯型心電計１の外観構造について説明する。図１および図２は、本発明の実施の形態における携帯型心電計１の概略斜視図であり、図３は、図１に示す携帯型心電計１の正面図である。また、図４は、図１に示す携帯型心電計１において、蓋体を閉状態とした場合の上面図であり、図５は、下面図である。また、図６は、図１に示す携帯型心電計１の右側面図であり、図７は、左側面図である。
【００２３】
図１〜図７を参照して、本実施の形態に従う携帯型心電計１は、携帯性に優れたものとなるように、片手で保持することが可能な大きさおよび重さにまで小型軽量化されている。携帯型心電計１は、扁平かつ細長の略直方体形状の外形を有する装置本体（筐体）１００を備えており、その外表面（正面１０１、背面１０２、上面１０３、下面１０４、右側面１０５および左側面１０６）に表示部、操作部および測定電極などが配置されている。
【００２４】
図１〜図３に示すように、装置本体１００の正面１０１の長手方向（図中矢印Ａ方向）の一方端側には、測定開始を指示するための測定ボタン１４２が設けられており、他方端側には、アラインメントマーク１１８および表示部１４８が設けられている。アラインメントマーク１１８は、後述するような第１の測定姿勢において、腹部に装置本体１００を押し当てる際の目印となるよう配置されている。この表示部１４８は、たとえば液晶ディスプレイなどによって構成され、測定結果などを表示する。
【００２５】
図１および図４に示すように、装置本体１００の上面１０３の所定位置には、電源ボタン１４１が配置されている。電源ボタン１４１は、携帯型心電計１のＯＮ／ＯＦＦを操作する操作ボタンである。また、装置本体１００の上面１０３の所定位置には、蓋体である２つのカバー１３０Ａ，１３０Ｂが設けられている。カバー１３０Ａは、その閉状態において、後述する外部電極用端子（以下「外部電極ソケット」という）１３１，外部端末用端子（以下「外部端末ソケット」という）１３２を覆い隠すように設けられている。カバー１３０Ｂは、その閉状態において、外部記憶媒体（図示せず）が装着されるメモリ用端子（以下「メモリソケット」という）１３３を覆い隠すように設けられている。これらのカバー１３０Ａ，１３０Ｂは、装置本体１００に対して開閉自在に取付けられている。
【００２６】
図２および図５に示すように、装置本体１００の下面１０４の所定位置には、各種の操作ボタンが配置されている。また、下面１０４の所定位置には、装置本体１００に含まれるバッテリー収容部（図示せず）を覆うカバー１３０Ｃが配置されている。
【００２７】
図示する携帯型心電計１においては、メモリボタン１４３、決定ボタン１４４、左スクロールボタン１４５、および右スクロールボタン１４６が配置されている。ここで、メモリボタン１４３は、携帯型心電計１に記憶された測定結果の読出し指示を入力するための操作ボタンであり、決定ボタン１４４は、各操作を実行するために用いる操作ボタンである。そして左スクロールボタン１４５および右スクロールボタン１４６は、表示部１４８に表示される測定結果のグラフやガイド情報等をスクロールして表示させるための操作ボタンである。
【００２８】
図１および図６に示すように、装置本体１００の長手方向の一方端に位置する右側面１０５には、一対の測定電極のうちの一方の電極である負電極１２１Ａと、身体の電位変化の基準となる電位を導出するための不関電極１２３Ａとが配置されている。この右側面１０５は、後述する第１の測定姿勢を被験者がとった際に被験者の右手の人差し指がフィットするように滑らかに湾曲した形状となっている。さらに、この右側面１０５には、上下方向に向かって延びる凹部１０５ａが形成されている。この凹部１０５ａは、被験者の右手の人差し指を受入れる形状となっている。
【００２９】
上述の負電極１２１Ａおよび不関電極１２３Ａは、導電性部材にて形成されている。また、負電極１２１Ａおよび不関電極１２３Ａは、右側面１０５に設けられた凹部１０５ａ内において、その表面が装置本体１００の外表面に露出した状態となるように配置されている。なお、負電極１２１Ａは、右側面１０５の上面１０３寄りに位置しており、不関電極１２３Ａは、右側面１０５の下面１０４寄りに位置している。
【００３０】
図２および図７に示すように、装置本体１００の長手方向の他方端に位置する左側面１０６には、一対の測定電極のうちの他方の電極である正電極１２２Ａが配置されている。
【００３１】
なお、本実施の形態における携帯型心電計１は、以下に示すような外部電極接続ユニット２００および外部端末接続ユニット３００が接続可能とされる。
【００３２】
図８は、本発明の実施の形態における携帯型心電計１の装置本体１００に接続可能な外部電極接続ユニット２００を示す図である。図９は、携帯型心電計１の装置本体１００に設けられたカバー１３０Ａを開放した状態を示す図である。図１０は、外部電極接続ユニット２００および外部端末接続ユニット３００が携帯型心電計１の装置本体１００に接続される様子を示す図である。
【００３３】
図８を参照して、外部電極接続ユニット２００は、クリップ式のユニットであり、コネクタ部２１０と、負電極１２１Ｂ，正電極１２２Ｂ，不関電極１２３Ｂと、コネクタ部２１０と３つの電極１２１Ｂ，１２２Ｂ，１２３Ｂとを電気的に接続するケーブル２２０とを含む。負電極１２１Ｂ，正電極１２２Ｂ，不関電極１２３Ｂは、それぞれ、クリップ２３１，２３２，２３３に設けられている。コネクタ部２１０は、装置本体１００の外部電極ソケット１３１に差し込むための雄型の端子２１２を有する。
【００３４】
なお、以下の説明において、装置本体１００の表面に設けられた負電極１２１Ａ，正電極１２２Ａ，不関電極１２３Ａを「本体電極部ＥＬａ」、外部電極接続ユニット２００に設けられた負電極１２１Ｂ，正電極１２２Ｂ，不関電極１２３Ｂを「外部電極部ＥＬｂ」という。
【００３５】
図９を参照して、カバー１３０Ａが開放された状態においては、装置本体１００の長手方向に外部電極ソケット１３１の開口部１３１ａおよび外部端末ソケット１３２の開口部１３２ａが並んで配置される。これらの開口部１３１ａ，１３２ａは、カバー１３０Ａが閉じられると、カバー１３０Ａによって覆われる（塞がれる）。
【００３６】
図８および図１０を参照して、外部電極用のコネクタ部２１０は、外部電極ソケット１３１と接続された状態において、外部端末ソケット１３２の開口部１３２ａを覆う遮蔽部２１３を有している。そのため、カバー１３０Ａが開けられて端子２１２が装置本体１００に設けられた外部電極ソケット１３１に差し込まれると、外部端末ソケット１３２の開口部１３２ａがコネクタ部２１０の遮蔽部２１３によって塞がれる。
【００３７】
図１０を参照して、外部端末接続ユニット３００は、外部端末用のコネクタ部３１０と、外部端末（のコネクタ）と接続するための（図１０において図示しない）コネクタ３３０と、コネクタ部３１０とコネクタ３３０とを電気的に接続するためのケーブル３２０とを含む。
【００３８】
外部端末用のコネクタ部３１０も、外部電極用のコネクタ部２１０と同様に、外部端末ソケット１３２と接続された状態において、外部電極ソケット１３１の開口部１３１ａを覆う遮蔽部３１３を有している。そのため、カバー１３０Ａが開けられて端子３１２が装置本体１００に設けられた外部端末ソケット１３２に差し込まれると、外部電極ソケット１３１の開口部１３１ａがコネクタ部３１０の遮蔽部３１３によって塞がれる。
【００３９】
したがって、外部電極接続ユニット２００が装置本体１００と接続されると、外部端末接続ユニット３００と装置本体１００との接続が不可能になる。同様に、外部端末接続ユニット３００が装置本体１００と接続されると、外部電極接続ユニット２００と装置本体１００との接続が不可能になる。
【００４０】
なお、本実施の形態における携帯型心電計１は、少なくとも外部電極接続ユニット２００を備え、より好ましくは、外部電極接続ユニット２００と外部端末接続ユニット３００とを備える。
【００４１】
また、本実施の形態では、クリップ式の外部電極接続ユニット２００を例に挙げたが、クリップ式に限定されるものではない。
【００４２】
（測定姿勢について）
次に、被験者が、本発明の実施の形態における携帯型心電計１を用いて心電波形を測定している状態について説明する。
【００４３】
被験者が本体電極部ＥＬａにより心電波形を測定する場合についての測定姿勢（以下「第１の測定姿勢」という）を図１１〜１３を用いて説明し、被験者が外部電極部ＥＬｂにより心電波形を測定する場合についての測定姿勢（以下「第２の測定姿勢」という）を図１４に示す。
【００４４】
まず、第１の測定姿勢について説明する。
図１１は、第１の測定姿勢を示す斜視図であり、図１２は、第１の測定姿勢を上方から見た図である。
【００４５】
測定時において被験者５００は、まず、装置本体１００に設けられたカバー１３０Ａを閉状態にする。カバー１３０Ａを閉状態にすることにより、本体電極部ＥＬａ（負電極１２１Ａ、正電極１２２Ａおよび不関電極１２３Ａ）と装置本体１００の内部に設けられた処理回路１５０とが電気的に接続された状態となり、心電波形の測定が可能な待機状態となる。なお、その電気的な切り替えの仕組みについては後述する。
【００４６】
次に、図１１および図１２に示すように、被験者５００は、携帯型心電計１の装置本体１００の一方端寄りを右手５１０で把持しつつ、装置本体１００の他方端に位置する左側面１０６に設けられた正電極１２２Ａを胸部５５０の左側下部に位置する第５肋間前腋窩線上の皮膚に直接接触させる。そして、右手５１０の親指５１１にて装置本体１００の正面１０１に設けられた測定ボタン１４２を押下する。そして、この状態を数十秒程度維持しつつ心電波形を計測する。
【００４７】
このときの携帯型心電計１の右手５１０による把持状態について説明する。図１３は、第１の測定姿勢において携帯型心電計１の装置本体１００の被験者による把持状態を示す図である。
【００４８】
図１３に示すように、第１の測定姿勢においては、被験者５００は携帯型心電計１の装置本体１００の正面１０１が上方を向くように、装置本体１００の長手方向の一方端寄りを右手５１０で把持する。このとき、装置本体１００の右側面１０５を右手５１０の人差し指５１２にて覆うとともに、右手５１０の親指５１１を装置本体１００の正面１０１に押し当てかつ右手５１０の中指を装置本体１００の背面に押し当てて、装置本体１００を挟み込むように把持する。この状態において、右手５１０の人差し指５１２は、湾曲した右側面１０５に沿うように軽く曲げ、右側面１０５に設けられた凹部１０５ａ内に挿入し、凹部１０５ａ内に設けられた負電極１２１Ａおよび不関電極１２３Ａに接触した状態とする。
【００４９】
以上の第１の測定姿勢をとることにより、携帯型心電計１の装置本体１００の右側面１０５に位置する負電極１２１Ａおよび不関電極１２３Ａが被験者５００の右手５１０の人差し指５１２に接触し、装置本体１００の左側面１０６に位置する正電極１２２Ａが被験者５００の胸部５５０に接触した状態となる。これにより、負電極１２１Ａに接触した右手５１０、胸部５５０に非接触の前腕５２０、同じく胸部５５０に非接触の上腕５３０および右肩５４０を介して正電極１２２Ａが取付けられた胸部５５０の順で被験者の身体に測定回路が構成されるようになる。
【００５０】
以上により、心筋が活動することによって生ずる活動電位が測定電極である負電極１２１Ａおよび正電極１２２Ａ間に生ずる電位差となって検知され、携帯型心電計１の内部に設けられた後述の処理回路１５０によって処理されることにより、心電波形を含む心臓の情報を得ることが可能になる。
【００５１】
このように、第１の測定姿勢では、携帯型心電計１を右手５１０で把持して胸部５５０に押し当てるだけの簡単な操作で心電波形を測定することができる。したがって、発作が起きた場合でも、即座に測定を開始することができる。
【００５２】
次に、本実施の形態における第２の測定姿勢について説明する。
第２の測定姿勢としては、仰臥姿勢がとられることが好ましい。図１４は、第２の測定姿勢において、外部電極部ＥＬｂ（クリップ２３１，２３２，２３３に含まれる各電極１２１Ｂ，１２２Ｂ，１２３Ｂ）の配置例を示す図であり、（Ａ）は、ＣＭ５誘導に基づく外部電極部ＥＬｂの配置例を示す図であり、図１４（Ｂ）は、ＣＣ５誘導に基づく外部電極部ＥＬｂの配置例を示す図である。
【００５３】
図１４（Ａ）を参照して、ＣＭ５誘導では、被験者は、自身の胸部５５０の胸骨上端にあたる皮膚と、第５肋間前腋窩線上の皮膚と、胸部５５０の右肩寄りの部位（右鎖骨下の外側より１／３程度の部位）にあたる皮膚とに電極パッドＰＤを貼り付ける。各電極パッドＰＤは、突出部を有しており、その突出部を外部電極接続ユニット２００のクリップ２３１〜２３３で挟む。具体的には、胸骨上端上の電極パッドＰＤにクリップ２３１を挟み、第５肋間前腋窩線上の電極パッドＰＤにクリップ２３２を挟み、胸部５５０の右肩寄りの部位上の電極パッドＰＤにクリップ２３３を挟む。その後（あるいはその前）、被験者は、装置本体１００のカバー１３０Ａを開け、装置本体１００の上面１０３側に露出した外部電極ソケット１３１に外部電極接続ユニット２００の端子２１２を挿入する。その状態で、携帯型心電計１の測定ボタン１４２を押下することで、ＣＭ５（Ｖ５類似誘導）誘導による心電波形の測定が行なわれる。
【００５４】
図１４（Ｂ）を参照して、ＣＣ５誘導では、被験者は、自身の胸部５５０の第５肋間前腋窩線上の右側の皮膚と、第５肋間前腋窩線上（の左側）の皮膚と、胸部５５０の右肩寄りの部位にあたる皮膚とに電極パッドＰＤを貼り付ける。各電極パッドＰＤの突出部を外部電極接続ユニット２００のクリップ２３１〜２３３で挟む。具体的には、第５肋間前腋窩線上の右側の電極パッドＰＤにクリップ２３１を挟み、第５肋間前腋窩線上（の左側）の電極パッドＰＤにクリップ２３２を挟み、胸部５５０の右肩寄りの部位上の電極パッドＰＤにクリップ２３３を挟む。その後（あるいはその前）、被験者は、装置本体１００のカバー１３０Ａを開け、装置本体１００の上面１０３側に露出した外部電極ソケット１３１に外部電極接続ユニット２００の端子２１２を挿入する。その状態で、携帯型心電計１の測定ボタン１４２を押下することで、ＣＣ５誘導（Ｖ５類似誘導）による心電波形の測定が行なわれる。
【００５５】
図１４（Ａ），（Ｂ）に示されるように、第２の測定姿勢では、被験者は、自身の胸部５５０に貼り付けた電極パッドＰＤにクリップ２３１〜２３３を挟んでおくだけでよいので、第１の測定姿勢で構成されるような測定回路を意識する必要がない。また、測定部位への吸着性が良いため、安定的に心電波形を測定することができる。また、第１の測定姿勢の如く装置本体１００を右手で把持する必要がないので、心電波形に右腕、手首、掌、指に生じる筋電がノイズとして含まれる可能性が格段に低くなる。
【００５６】
なお、第２の測定姿勢に基づく外部電極部ＥＬｂの貼り付け位置は、上記したＣＭ５誘導，ＣＣ５誘導に基づくものに限定されない。ただし、Ｖ４，Ｖ５類似誘導以外で測定した場合には、解析結果が適切でない場合があるため、外部電極部ＥＬｂを使用する場合にはＣＭ５誘導またはＣＣ５誘導に基づく測定姿勢をとるよう被験者に促す表示をすることが望ましい。また、その際に、後述する開閉センサ１７０がカバー１３０Ａが開状態であることを検知した場合に、このような表示がされてもよい。
【００５７】
（構成について）
次に、本実施の形態における携帯型心電計１の構成について説明する。
【００５８】
図１５は、本実施の形態における携帯型心電計１のハードウェア構成を示すブロック図である。
【００５９】
図１５を参照して、携帯型心電計１の装置本体１００は、本体電極部ＥＬａと、本体電極部ＥＬａおよび外部電極部ＥＬｂにより検出された心電波形を処理するための処理回路１５０と、カバー１３０Ａの開閉を検知するための開閉センサ１７０と、電源１６０と、上述の電源ボタン１４１，測定ボタン１４２，メモリボタン１４３，決定ボタン１４４，左スクロールボタン１４５，右スクロールボタン１４６を含む操作部１４０と、表示部１４８と、上記したカバー１３０Ａ，１３０Ｂと、本体電極部ＥＬａと処理回路１５０との間の導通／非導通を切換えるためのスイッチ４１，４２，４３（図１６）とを備える。
【００６０】
処理回路１５０は、本体電極部ＥＬａおよび外部電極部ＥＬｂによって検出される生体信号（電気信号）を増幅するアンプ回路１５１と、ノイズ成分を除去するフィルタ回路１５２と、アナログ信号をデジタル信号に変換するＡ／Ｄ（Analog to Digital）コンバータ１５３と、演算処理部であるＣＰＵ（Central Processing Unit）１５４と、メモリ１５５とを含む。メモリ１５５は、ＲＯＭ（Read Only Memory）１５５１と、ＲＡＭ（Random Access Memory）１５５２と、不揮発性のメモリ、たとえばフラッシュメモリ１５５３とを含む。
【００６１】
本体電極部ＥＬａおよび外部電極部ＥＬｂのいずれか一方によって検出された生体信号（電気信号）は、アンプ回路１５１によって増幅された後、フィルタ回路１５２でノイズ成分が除去され、さらにＡ／Ｄコンバータ１５３によって心電波形データ（デジタル信号）に変換される。ＣＰＵ１５４は、このＡ／Ｄコンバータ１５３によって変換された心電波形データをフラッシュメモリ１５５３へ格納する。また、ＣＰＵ１５４は、操作部１４０に含まれる各種操作ボタンからの指令信号を受信し、受信した指令信号に応じた処理を実行するとともに、表示部１４８への表示制御を行なう。
【００６２】
スイッチ４１は、負電極１２１Ａとアンプ回路１５１との間の導通／非導通を切り替え、スイッチ４２は、正電極１２２Ａとアンプ回路１５１との間の導通／非導通を切り替える。また、スイッチ４３は、不関電極１２３Ａとアンプ回路１５１との間の導通／非導通を切り替える。本実施の形態において、各スイッチ４１，４２，４３は、各電極と電気的に接続されている第１接点１３４と、アンプ回路１５１と電気的に接続されている第２接点１３５とを含んでいる。
【００６３】
図１６は、カバー１３０Ａの開閉に伴なうスイッチのＯＮ／ＯＦＦについて説明するための図であり、図１６（Ａ）は、カバー１３０Ａが閉じられた状態を示す装置本体１００の部分断面図であり、図１６（Ｂ）は、カバー１３０Ａが開けられた状態を示す装置本体１００の部分断面図である。
【００６４】
図１６（Ａ）および図１６（Ｂ）に示すように、カバー１３０Ａが設けられた位置に対応する部分の装置本体１００の内部には、フレーム４０、スイッチ４１，４２，４３，１７０、バネ５０、スライダ６０、外部電極ソケット１３１および外部端末ソケット１３２が配設されている。
【００６５】
フレーム４０は、装置本体１００に対して移動不能に固定されている。カバー１３０Ａは、その側部５２に回転軸５２ａを有している。この回転軸５２ａはフレーム４０に設けられた開口部に差し込まれている。これにより、フレーム４０に対してカバー１３０Ａが回転可能に取付けられている。
【００６６】
スライダ６０は、フレーム４０に対してスライド移動可能に取付けられている。より詳細には、スライダ６０は、フレーム４０にバネ５０を介して接続されており、バネ５０は、スライダ６０をカバー１３０Ａに向けて付勢している。これにより、スライダ６０は、その端部がカバー１３０Ａの側部５２に対して当接した状態に維持されている。スライダ６０は、フレーム４０に対して図示しないガイド機構によって案内されるように構成されている。以上により、スライダ６０は、図中上下方向にスライド移動可能となっている。
【００６７】
なお、カバー１３０Ａの側部５２は、回転軸５２ａからスライダ６０の端部が当接する面（以下、端部当接面という）までの距離が場所によって異なるような形状に形成されている。より具体的には、カバー１３０Ａが開状態にある場合の回転軸５２ａから端部当接面までの距離に比べ、カバー１３０Ａが閉状態にある場合の回転軸５２ａから端部当接面までの距離が長くなるような形状に形成されている。
【００６８】
スイッチ４１，４２，４３，１７０は、いわゆるマイクロスイッチと呼ばれるスイッチであり、それぞれスイッチ本体とスイッチ端子とを備えている。スイッチ４１，４２，４３，１７０は、装置本体１００の長手方向に並んで配置されている。スイッチ端子４１ａ，４２ａ，４３ａ，１７０ａは、それぞれスイッチ本体に対して回転可能に取付けられており、図示しないバネによってスイッチ本体から遠ざかる方向に向けて付勢されている。スイッチ４１，４２，４３，１７０は、それぞれそのスイッチ端子４１ａ，４２ａ，４３ａ，１７０ａがスイッチ本体から遠ざかった状態においてＯＦＦ状態をとり、上記バネの付勢力に抗してスイッチ端子４１ａ，４２ａ，４３ａ，１７０ａがスイッチ本体に向けて押し下げられた状態においてＯＮ状態をとる。このＯＮ状態／ＯＦＦ状態の切替えに基づき、スイッチ４１，４２，４３は、カバー１３０Ａの開閉に連動して、本体電極部ＥＬａと処理回路１５０との間の導通／非導通を切り替える。スイッチ１７０は、上記した開閉センサとして機能するものであり、他のスイッチ４１，４２，４３と同様に、内部に図示しない第１接点と第２接点とを有する。
【００６９】
スライダ６０の上記カバー１３０Ａに当接する端部と反対側の端部（すなわち図中下側の端部）には、４つの突出部６１，６２，６３，６４が設けられている。これら突出部６１，６２，６３，６４は、それぞれスイッチ４１，４２，４３，１７０に対応した位置に設けられている。
【００７０】
スライダ６０の内側には、外部電極ソケット１３１および外部端末ソケット１３２が配設されている。それぞれのソケット１３１，１３２は、上述した開口部１３１ａ，１３２ａに面するように配設されている。
【００７１】
図１６（Ａ）を参照して、カバー１３０Ａが閉じられた状態においては、バネ５０の付勢力に抗してスライダ６０がカバー１３０Ａによって押し下げられた状態にある。そのため、スライダ６０の４つの突出部６１，６２，６３，６４は、それぞれスイッチ４１，４２，４３，１７０の端子であるスイッチ端子４１ａ，４２ａ，４３ａ，１７０ａに接触し、スイッチ端子４１ａ，４２ａ，４３ａ，１７０ａを各スイッチ本体側に向けて押下している。これにより、スイッチ４１，４２，４３の内部の設けられた第１接点１３４が第２接点１３５側に向かって押し下げられ、第１接点１３４と第２接点１３５とは接触した状態となる。すなわち、第１接点１３４と第２接点１３５とは電気的に導通した導通状態となり、スイッチ４１，４２，４３がＯＮ状態となる。また、スイッチ１７０においても同様に図示しない第１接点と第２接点とが接触し導通状態とされ、スイッチ１７０はＯＮ状態となる。このとき、カバー１３０Ａは閉じられているため、外部電極ソケット１３１の開口部１３１ａおよび外部端末ソケット１３２の開口部１３２ａは、カバー１３０Ａによって塞がれている。
【００７２】
図１６（Ｂ）を参照して、カバー１３０Ａが閉じられた状態から開放されると、バネ５０の付勢力により、スライダ６０が矢印７０方向に向かってスライド移動する。そのため、スライダ６０の４つの突出部６１，６２，６３，６４も図中上方に向けて移動する。これにより、突出部６１，６２，６３，６４は、それぞれスイッチ端子４１ａ，４２ａ，４３ａ，１７０ａから離される。その結果、第１接点１３４も第２接点１３５が位置する方向とは反対の方向に向けて回動し、もとの位置へと復帰する。これにより、第１接点１３４と第２接点１３５とは接触していない状態となる。すなわち、第１接点１３４と第２接点１３５とが電気的に導通しない非導通状態となり、スイッチ４１，４２，４３がＯＦＦ状態となる。また、スイッチ１７０においても同様に非導通状態とされる。このとき、カバー１３０Ａは開放されているため、外部電極ソケット１３１の開口部１３１ａおよび外部端末ソケット１３２の開口部１３２ａは、装置本体１００の表面に露出されている。
【００７３】
このように、本実施の形態における携帯型心電計１においては、カバー１３０Ａの動作に連動して第１接点１３４と第２接点１３５とが導通状態または非導通状態に切換えられる。したがって、カバー１３０Ａが閉状態においては、本体電極部ＥＬａが装置本体１００の内部に設けられた処理回路１５０に電気的に接続されることになり、本体電極部ＥＬａにより心電波形の測定が行なえるようになる。また、外部電極接続ユニット２００と接続するための外部電極ソケット１３１の開口部１３１ａはカバー１３０Ａによりふさがれているため、物理的に外部電極接続ユニット２００を外部電極ソケット１３１に接続することができない。そのため、アンプ回路１５１に外部電極部ＥＬｂからの電気信号がノイズとして混入されることを防ぐことが可能となる。
【００７４】
一方、カバー１３０Ａが開状態においては、本体電極部ＥＬａが装置本体１００の内部に設けられた処理回路１５０から切り離されることになり、たとえ本体電極部ＥＬａを皮膚に押し当てたとしても、心電波形の測定は行なえないことになる。これに対し、外部電極接続ユニット２００と接続するための外部電極ソケット１３１の開口部１３１ａは露出されるため、外部電極接続ユニット２００を外部電極ソケット１３１に接続することができる。つまり、カバー１３０Ａが開状態のときには、外部電極部ＥＬｂによる測定のみが可能となる。その場合にも、アンプ回路１５１に本体電極部ＥＬａからの電気信号がノイズとして混入されることがないため、外部電極接続ユニット２００を用いた測定の際にも、確実にノイズを除去することができる。その結果、高精度な心電波形データを得ることが可能となる。
【００７５】
このように、本実施の形態の携帯型心電計１においては、本体電極部ＥＬａと処理回路１５０（アンプ回路１５１）との間にスイッチ４１〜４３を設けるのみの簡素な構成である。そのため、いずれの測定方法においても精度の良い心電波形を測定可能となるため、装置の大型化や製造コストの増大を招くこともない。しかしながら、カバー１３０Ａの開閉に連動して本体電極部ＥＬａと処理回路１５０との導通／非導通を切り替えられれば、スイッチに限定されず、センサ等であってもよい。
【００７６】
なお、本実施の形態においては、カバー１３０Ａが装置本体１００に開閉自在に取付けられた場合を例示して説明を行なったが、本発明は特にこの態様に限定されるものではない。たとえば、装置本体１００に対して着脱自在に取付けられる蓋体であってもよいし、装置本体１００に対してスライド自在に取付けられる蓋体であってもよい。
【００７７】
また、上述のように、本実施の形態では、装置本体１００に、本体電極部ＥＬａと処理回路１５０との導通／非導通を切り替えるために３つのスイッチ４１，４２，４３を設けたが、必ずしも本体電極部ＥＬａに含まれる電極ごとにスイッチを設ける必要はない。少なくとも、負電極１２１Ａおよび正電極１２２Ａそれぞれに対応した２つのスイッチが備えられればよい。
【００７８】
なお、図１５では、説明の容易化のために、外部電極ソケット１３１と外部端末ソケット１３２との両方に、それぞれコネクタ部２１０の端子２１２およびコネクタ部３１０の端子３１２が接続された状態を示しているが、実際には、いずれかしか接続されない。
【００７９】
図１７は、本発明の実施の形態における携帯型心電計１の機能構成を示す機能ブロック図である。
【００８０】
図１７を参照して、ＣＰＵ１５４は、測定指示受付部１５４１、測定処理部１５４２、電極判別部１５４３、記憶処理部１５４４、読出指示受付部１５４５、読出部１５４６および表示処理部１５４７を含む。なお、各ブロックの動作は、ＲＯＭ１５５１に格納されたソフトウェアを実行することで実現されてもよいし、これらのうち少なくとも１つについては、ハードウェアで実現されてもよい。
【００８１】
測定指示受付部１５４１は、測定ボタン１４２からの信号に基づき、ユーザからの測定指示の入力を受付ける。
【００８２】
測定処理部１５４２は、測定指示受付部１５４１が測定指示を受付けた場合に、公知の手順により心電波形の測定処理を行なう。測定処理部１５４２には、本体電極部ＥＬａおよび外部電極部ＥＬｂのうちいずれか一方により検出された電気信号のみが、アンプ回路１５１、フィルタ回路１５２およびＡ／Ｄコンバータ１５３を経由して入力される。
【００８３】
電極判別部１５４３は、測定指示受付部１５４１が測定指示を受付けた場合に、開閉センサ１７０からの信号に基づき、アンプ回路１５１と電気的に接続されている電極部を判別する。つまり、開閉センサ（スイッチ）１７０が検知したカバー１３０Ａの開閉の情報に基づいて、測定に用いられている電極部（以下「測定電極」という）が本体電極部ＥＬａおよび外部電極部ＥＬｂのうちいずれであるかを判別する。なお、本実施の形態において、開閉センサ１７０がスイッチを含む例を示したが、これに限定されるものではない。
【００８４】
記憶処理部１５４４は、測定処理部１５４２により測定された心電波形データを、電極判別部１５４３により判別された測定電極の電極種類データと対応付けてフラッシュメモリ１５５３に記憶する処理を行なう。
【００８５】
読出指示受付部１５４５は、メモリボタン１４３からの信号に基づき、ユーザからのメモリ読出しの指示（表示指示）の入力を受付ける。
【００８６】
読出部１５４６は、読出指示受付部１５４５がメモリ読出しの指示を受付けた場合に、フラッシュメモリ１５５３に記憶された心電波形データおよび電極種類データを読み出す。
【００８７】
表示処理部１５４７は、読出部１５４６により読み出された心電波形データおよび電極種類データを、各々関連付けて表示部１４８に表示するための処理を行なう。
【００８８】
なお、本実施の形態において、携帯型心電計１は、カバー１３０Ａの開閉状態を報知する機能を有していてもよい。その場合、ＣＰＵ１５４は、たとえば開閉センサ１７０が検知したカバー１３０Ａの開閉の情報に基づいて、開閉の状態を報知するための処理を行なう。開閉状態の報知は、装置本体１００の表示部１４８に対して行なわれてもよいし、装置本体１００に設けられた出力部（図示せず）に対して行なわれてもよい。出力部（図示せず）は、たとえば、音、光および振動のうちいずれかを出力する。
【００８９】
（動作について）
図１８は、本発明の実施の形態における心電波形の測定・記憶処理を示すフローチャートである。図１８のフローチャートに示す処理は、予めプログラムとしてＲＯＭ１５５１に格納されており、ＣＰＵ１５４がこのプログラムを読み出して実行することにより、測定・記憶処理の機能が実現される。
【００９０】
図１８を参照して、まず、測定指示受付部１５４１は、測定指示が入力されたか否かを判断する（ステップＳ２）。測定ボタン１４２の押下により測定指示の入力を受付けると（ステップＳ２においてＹＥＳ）、電極判別部１５４３は、開閉センサ１７０からの信号に基づき、カバー１３０Ａが開状態であるか閉状態であるかを判断する（ステップＳ４）。
【００９１】
開閉センサ１７０がカバー１３０Ａが閉状態であると検知した場合（スイッチ１７０が導通（ＯＮ）状態の場合）には（ステップＳ４において「閉」）、測定電極の種類は、本体電極部ＥＬａであると判別する（ステップＳ６）。この場合、ＲＡＭ１５５２の所定の領域に、測定電極の種類を示すためのフラグ（以下「電極フラグ」という）を０にセットする。これに対し、開閉センサ１７０がカバー１３０Ａが開状態であると検知した場合（スイッチ１７０が非導通（ＯＦＦ）状態の場合）には（ステップＳ４において「開」）、測定電極の種類は、外部電極部ＥＬｂであると判別する。この場合、ＲＡＭ１５５２の所定の領域に、電極フラグを１にセットする（ステップＳ８）。
【００９２】
続いて、測定処理部１５４２は、被験者の心電波形の測定を開始する（ステップＳ１０）。より具体的には、アンプ回路１５１が本体電極部ＥＬａまたは外部電極部ＥＬｂのいずれか一方によって検出された電気信号を増幅し、増幅された電気信号に対してフィルタ回路１５２がノイズの除去を行なう。そして、Ａ／Ｄコンバータ１５３がノイズの除去後の電気信号（アナログ信号）をデジタル信号に変換する。測定処理部１５４２は、Ａ／Ｄコンバータ１５３において変換されたデジタル信号を取得し、表示部１４８にリアルタイム表示するとともに、ＲＡＭ１５５２に一時的に格納する。
【００９３】
このような処理が、たとえばタイマ（図示せず）などにより規定時間の間継続的に実行される。
【００９４】
測定中、表示部１４８には、測定された心電波形１６１が所定時間分だけ表示されるとともに、測定の進行によって右または左にスクロールして新たに測定された心電波形に随時更新される。また、心電波形と同一画面上に、単位時間当たりの心拍数データが表示される。なお、測定中に表示する項目はこれに限られず、他の情報を表示するようにしてもよい。
【００９５】
心電波形の測定が終了すると、ＣＰＵ１５４は、ＲＡＭ１５５２に格納した心電波形データに対して解析処理を実行し、心電波形データの解析処理を行なってもよい（ステップＳ１２）。より具体的には、ＣＰＵ１５４は、ＲＡＭ１５５２に格納した心電波形データに現れる特徴的な時間変化を抽出することで心電波形データの種別情報を判別する処理を行なってもよい。たとえば異常項目として「頻脈」、「徐脈」、「ＲＲ間隔不整」、「心休止」、「心室性期外収縮」の５種類の種別情報が判別される。なお、種別情報はこれらに限られず、他の項目を追加してもよい。また、いずれの種別にも該当しない場合には、対応する心電波形は正常と判断される。
【００９６】
ここで、上記５項目の種別について簡単に説明する。一般的に、「頻脈」とは、心拍数が１分間に１００回以上あることをいい、「徐脈」とは、心拍数が１分間に５０回以下であることをいう。「ＲＲ間隔不整」とは、Ｒ波間隔が不規則であることをいい、たとえばＲ波のリズムが崩れたり、１拍抜けたりすることをいう。「心休止」は、「ｐａｕｓｅ」とも称され、一時的に心臓が活動を停止していることをいう。「心室性期外収縮」は、「ＶＰＣ（Ventricular Premature Contraction）」とも称され、心臓の心室から発生した異所性興奮をいう。この「心室性期外収縮」は、Ｒ波ピークを形成する三角形の幅（ＱＲＳ幅）の大きさに基づいて判別される。
【００９７】
なお、上述のステップＳ４〜Ｓ８の処理とステップＳ１０の処理とは並列的に処理されてもよいし、直列的に処理されてもよい。直列的に処理される場合には、その実行順序は問わない。また、ステップＳ１０の処理とステップＳ１２の処理とは並列的に処理されてもよいし、直列的に処理されてもよい。
【００９８】
上述の処理が終わると、記憶処理部１５４４は、ＲＡＭ１５５２に格納した心電波形データを、電極種類データ（０または１）と対応付けてフラッシュメモリ１５５３に格納する（ステップＳ１４）。より具体的には、この電極種別データは、ヘッダ情報として測定データに付加される。そして、携帯型心電計１における心電波形の測定・記憶処理は終了する。
【００９９】
図１９は、本実施の形態の携帯型心電計１における測定データのデータ構造を示す図である。図１９を参照して、フラッシュメモリ１５５３に格納される測定データ８０の各々は、一例として「ＩＤ情報」、「記録日時」、「電極種類」、「正常・異常情報」、「心電波形データ」の５つのフィールド８１〜８５を含む。各フィールドの内容について概略すると、「ＩＤ情報」フィールド８１は、各測定データを特定するための識別番号などを格納し、「記録日時」フィールド８２は、各測定データの測定開始日時や測定期間などの情報を格納する。また、「電極種類」フィールド８３は、測定電極が本体電極部ＥＬａおよび外部電極部ＥＬｂのうちいずれであるかの情報を格納する。「正常・異常情報」フィールド８４は、上記解析処理によって判別された心電波形データの種別情報を格納する。
【０１００】
（表示例について）
次に、測定データの表示例について説明する。
【０１０１】
図２０は、本実施の形態に従う携帯型心電計１の表示部１４８に表示される心電波形表示画面の一例を示す図である。
【０１０２】
読出指示受付部１５４５がユーザからメモリ読出しの指示の入力を受付けると、読出部１５４６は、フラッシュメモリ１５５３から測定データを読み出す。読出しの指示は、ユーザ所望の測定データの表示指示に対応したものであってもよいし、全測定データの表示指示に対応したものであってもよい。
【０１０３】
表示処理部１５４７は、読み出された測定データを表示部１４８に表示するための信号を生成する。
【０１０４】
図２０を参照して、画面の上段部には、測定日時とともに、測定電極の種類の情報（外部／本体）１６８が表示される。表示開始時点では、画面の下段部には全測定期間にわたる全体波形の縮小波形１６２が表示されて、その上段部には測定開始時からたとえば２秒間の拡大波形１６４が表示される。また縮小波形１６２の下方には測定期間の長さを示すスケールバー１６５が表示されている。スケールバー１６５上には、拡大波形１６４が測定期間のどのあたりの波形であるかを指示するためのポインタ１６６が表示される。全測定期間のどのあたりの波形を拡大波形１６４として表示するかの変更は、右スクロールボタン１４６と左スクロールボタン１４５を操作してポインタ１６６をスケールバー１６５上を移動させることにより、所定の時間単位、たとえば２秒単位で変更可能である。また、被験者が図２０の画面で心電波形を確認した後、決定ボタン１４４を押下すると、表示処理部１５４７は表示中の心電波形に対応の解析種別データをフラッシュメモリ１５５３から読出して、メッセージに編集し、編集したメッセージを表示部１４８にたとえば図２１のように表示してもよい。図２１では、表示部１４８に、「波形に乱れはないようです。」と示されたメッセージ１６７と、「６０拍／分」と示された単位時間当たりの心拍数のデータ１６３とが表示されている。
【０１０５】
以上のように、心電波形が表示される際に測定電極の情報も関連付けられて表示される。そのため、被験者等は、その波形データがどちらの測定電極で測定されたのかを確認することができる。したがって、図２１のようにメッセージが表示される場合などには、そのメッセージの信頼性の高さを推定することが可能となる。
【０１０６】
（変形例）
（心電波形表示システムについて）
次に、携帯型心電計１の装置本体１００と外部端末４とが外部端末接続ユニット３００を介して接続されることで機能する心電波形表示システムについて説明する。
【０１０７】
図２２は、本実施の形態における心電波形表示システムＳＹＳの概略構成図である。この心電波形表示システムＳＹＳを構成する携帯型心電計１の構成および動作は、上述の実施の形態と同様である。したがって、ここでのこれらの説明は繰返さない。
【０１０８】
携帯型心電計１の装置本体１００を外部端末４に接続する場合には、既述のように、装置本体１００に設けられたカバー１３０Ａを開状態にして外部端末ソケット１３２の開口部１３２ａを露出させる。そして、外部端末接続ユニット３００の一端を外部端末４に接続させ、他端側に位置する端子３１２を装置本体１００の外部端末ソケット１３２に接続する。これにより、携帯型心電計１の装置本体１００と外部端末４とが外部端末接続ユニット３００によって接続された状態となる。
【０１０９】
外部端末４は、代表的にコンピュータによって構成され、ＦＤ（Flexible Disk）駆動装置４１４およびＣＤ−ＲＯＭ（Compact Disk-Read Only Memory)駆動装置４１５を備えたコンピュータ本体４１０と、キーボード４３０と、マウス４４０とをさらに含む。
【０１１０】
図２３は、本実施の形態における外部端末４を構成するコンピュータのハードウェア構成を示す概略構成図である。
【０１１１】
図２３を参照して、コンピュータ本体４１０は、図２２に示すＦＤ駆動装置４１４およびＣＤ−ＲＯＭ駆動装置４１５に加えて、相互にバスで接続された、演算装置であるＣＰＵ（Central Processing Unit）４１１と、メモリ４１２と、記憶装置である固定ディスク４１３と、インターフェイス部４１６と、電源回路４１７とを含む。
【０１１２】
ＦＤ駆動装置４１４にはＦＤ４１４ａが装着され、ＣＤ−ＲＯＭ駆動装置４１５にはＣＤ−ＲＯＭ４１５ａが装着される。本実施の形態に従う外部端末４は、ＣＰＵ４１１がメモリ４１２などのコンピュータハードウェアを用いて、ソフトウェアを実行することで実現される。一般的に、このようなソフトウェアは、ＦＤ４１４ａやＣＤ−ＲＯＭ４１５ａなどの記録媒体に格納されて、またはネットワークなどを介して流通する。そして、このようなソフトウェアは、ＦＤ駆動装置４１４やＣＤ−ＲＯＭ駆動装置４１５などにより記録媒体から読取られて、または通信インターフェイス（図示しない）にて受信されて、固定ディスク４１３に格納される。さらに、固定ディスク４１３からメモリ４１２に読出されて、ＣＰＵ４１１により実行される。
【０１１３】
モニタ部４２０は、ＣＰＵ４１１が出力する心電波形などの情報を表示するための表示部であって、一例としてＬＣＤ（Liquid Crystal Display）やＣＲＴ（Cathode Ray Tube）などから構成される。マウス４４０は、クリックやスライドなどの動作に応じたユーザ（代表的に、医師などの診断実施者）からの指令を受付ける。キーボード４３０は、入力されるキーに応じたユーザから指令を受付ける。ＣＰＵ４１１は、プログラムされた命令を順次実行することで、各種の演算を実施する演算処理部である。メモリ４１２は、ＣＰＵ４１１のプログラム実行に応じて各種の情報を記憶する。
【０１１４】
インターフェイス部４１６は、外部端末接続ユニット３００の一端（コネクタ部３１０の他端）に位置するコネクタ３３０を着脱可能に接続するためのコネクタ（ソケット）４１８を含む。コネクタ４１８は、携帯型心電計１の装置本体１００に設けられたフラッシュメモリ１５５３から測定データを受取る。なお、インターフェイス部４１６は外部記憶媒体（図示せず）からも心電波形データを受け取るためのスロットなどをさらに含んでもよい。
【０１１５】
コネクタ４１８に外部端末接続ユニット３００のコネクタ３３０が接続されることで、携帯型心電計１と外部端末４とが電気的に接続される。そうすると、携帯型心電計１の装置本体１００の内部に設けられた処理回路１５０と、外部端末４の内部回路（ＣＰＵ４１１、メモリ４１２等）とが電気的に接続された状態となる。この状態とすることにより、外部端末接続ユニットを介して携帯型心電計１の装置本体１００の内部に設けられた処理回路１５０と外部端末４の内部に設けられた内部回路との間で信号の授受が可能になり、携帯型心電計１の装置本体１００のフラッシュメモリ１５５３に記憶された心電情報を外部端末４に転送することが可能になる。
【０１１６】
本実施の形態における携帯型心電計１においては、カバー１３０Ａの操作により、第１接点１３４と第２接点１３５の電気的な接続が解除される。また、外部端末接続ユニット３００が装置本体１００の外部端末ソケット１３２に接続されると、外部端末接続ユニット３００のコネクタ部３１０に外部電極接続ユニット２００と接続するための外部電極ソケット１３１の開口部１３１ａが塞がれる。そのため、装置本体１００と外部端末４とが接続された状態においては、本体電極部ＥＬａおよび外部電極部ＥＬｂの両方が、必ず装置本体１００の内部に設けられた処理回路１５０から電気的に絶縁された状態となる。
【０１１７】
したがって、万が一、外部端末４の電源回路４１７の電源電圧が外部端末４の内部回路および外部端末接続ユニット３００を介して携帯型心電計１の処理回路１５０にサージとなって混入した場合にも、本体電極部ＥＬａおよび外部電極部のいずれにも達することがなくなる。このため、上記サージの混入があった場合に被験者が本体電極部ＥＬａに接触していたとしても、被験者が感電するおそれはない。
【０１１８】
固定ディスク４１３は、ＣＰＵ４１１が実行するプログラムや、携帯型心電計１のフラッシュメモリ１５５３から受取った測定データを格納する不揮発性の記憶装置である。なお、外部端末４には、必要に応じてプリンタなどの他の出力装置が接続されてもよい。
【０１１９】
ＣＰＵ４１１は、固定ディスク４１３に格納した測定データをモニタ４２０に表示するための制御を行なう。測定データには、図１９に示したように、各心電波形データと対応付けて電極種類データが含まれている。したがって、外部端末４のモニタ４２０においても、心電波形データと関連付けて測定電極の種類の情報が表示される。
【０１２０】
図２４は、本実施の形態の心電波形表示システムＳＹＳにおける外部端末４のモニタ４２０に表示される心電波形表示画面９０の表示例を示す図である。
【０１２１】
図２４を参照して、ＣＰＵ４１１は、たとえば、４つの心電波形９１〜９４を含む心電波形表示画面９０を測定日時（記録日時）の順にモニタ４２０に表示させる。これらの心電波形９１〜９４は、対応する測定データ８０の「心電波形データ」フィールド８５（図１９）に格納されているデータをプロットすることで描画される。なお、心電波形９１〜９４の各々の時間軸は同一スケールであることが望ましい。
【０１２２】
また、ＣＰＵ４１１は、心電波形９１〜９４それぞれに対応させて、領域９１ａ〜９４ａに心電波形９１〜９４の測定に用いられた電極の種類の情報を表示させる。領域９１ａ〜９４ａに表示される情報は、対応する測定データ８０の「電極種類」フィールド８３に格納されているデータに基づいて表示される。なお、このような表示態様に限定されるものではなく、各心電波形９１〜９４と電極種類とが関連付けられて表示されればよい。たとえば、心電波形９１〜９４の表示態様を、電極種類が本体電極部ＥＬａであれば黒色表示とし、外部電極部ＥＬｂであれば赤色表示としてもよい。
【０１２３】
このように、外部端末４のモニタ４２０においても、心電波形とその心電波形の測定に用いられた電極の種類とが関連付けられて表示される。そのため、専門医は、測定データがいずれの電極部で測定したかを容易に知ることができる。また、専門医は、測定データの評価をする際に、信頼性の高い外部電極部ＥＬｂで測定された心電波形データのみを用いることも可能となる。また、携帯型心電計１において上述したような解析処理（図１８のステップＳ１２）が実行されない場合には、外部端末４上で、外部電極部ＥＬｂで測定された心電波形データのみを解析することもできる。
【０１２４】
さらに、本実施の形態の携帯型心電計１では、本体電極部ＥＬａおよび外部電極部ＥＬｂのいずれで測定する場合でも、他方の電極部とアンプ回路１５１との間は必ず切断される。したがって、使用していない電極郡からのノイズが心電波形に混入する恐れはなく、より信頼性の高い測定結果を提示することができる。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２６】
【図１】本発明の実施の形態における携帯型心電計の第１の概略斜視図である。
【図２】本発明の実施の形態における携帯型心電計の第２の概略斜視図である。
【図３】本発明の実施の形態における携帯型心電計の正面図である。
【図４】本発明の実施の形態における携帯型心電計の蓋体を閉状態とした場合の上面図である。
【図５】本発明の実施の形態における携帯型心電計の下面図である。
【図６】本発明の実施の形態における携帯型心電計の右側面図である。
【図７】本発明の実施の形態における携帯型心電計の左側面図である。
【図８】本発明の実施の形態における携帯型心電計の装置本体に接続可能な外部電極接続ユニットを示す図である。
【図９】本発明の実施の形態における携帯型心電計の装置本体に設けられたカバーを開放した状態を示す図である。
【図１０】外部電極接続ユニットおよび外部端末接続ユニットが携帯型心電計の装置本体に接続される様子を示す図である。
【図１１】本発明の実施の形態における携帯型心電計の装置本体に設けられた本体電極部による第１の測定姿勢を示す斜視図である。
【図１２】第１の測定姿勢を上方から見た図である。
【図１３】第１の測定姿勢において携帯型心電計の装置本体の被験者による把持状態を示す図である。
【図１４】本発明の実施の形態における携帯型心電計の外部電極部による第２の測定姿勢において、外部電極部の配置例を示す図であり、（Ａ）は、ＣＭ５誘導に基づく外部電極部の配置例を示す図であり、（Ｂ）は、ＣＣ５誘導に基づく外部電極部の配置例を示す図である。
【図１５】本発明の実施の形態における携帯型心電計のハードウェア構成を示すブロック図である。
【図１６】（Ａ）は、カバーが閉じられた状態を示す装置本体の部分断面図であり、（Ｂ）は、カバーが開けられた状態を示す装置本体の部分断面図である。
【図１７】本発明の実施の形態における携帯型心電計の機能構成を示す機能ブロック図である。
【図１８】本発明の実施の形態における心電波形の測定・記憶処理を示すフローチャートである。
【図１９】本発明の実施の形態の携帯型心電計における測定データのデータ構造を示す図である。
【図２０】本発明の実施の形態における携帯型心電計の表示部に表示される心電波形表示画面の一例を示す図である。
【図２１】本発明の実施の形態における携帯型心電計の表示部に表示されるメッセージ表示画面の一例を示す図である。
【図２２】本発明の実施の形態における心電波形表示システムの概略構成図である。
【図２３】本発明の実施の形態における外部端末を構成するコンピュータのハードウェア構成を示す概略構成図である。
【図２４】本発明の実施の形態の心電波形表示システムにおける外部端末のモニタに表示される心電波形表示画面の表示例を示す図である。
【符号の説明】
【０１２７】
１  携帯型心電計、４  外部端末、４０  フレーム、４１，４２，４３  スイッチ、４１ａ，４２ａ，４３ａ，１６２ａ  スイッチ端子、５０  バネ、５２  側部、５２ａ  回転軸、６０  スライダ、６１，６２，６３，６４  突出部、８０  測定データ、９０  心電波形表示画面、１００  装置本体、１０１  正面、１０２  背面、１０３  上面、１０４  下面、１０５ａ  凹部、１０５  右側面、１０６  左側面、１２１Ａ，１２１Ｂ  負電極、１２２Ａ，１２２Ｂ  正電極、１２３Ａ，１２３Ｂ  不関電極、１３０Ａ，１３０Ｂ，１３０Ｃ  カバー、１３１  外部電極ソケット、１３１ａ，１３２ａ  開口部、１３２  外部端末ソケット、１３４，１３５  接点、１４０  操作部、１４１  電源ボタン、１４２  測定ボタン、１４３  メモリボタン、１４４  決定ボタン、１４５  左スクロールボタン、１４６  右スクロールボタン、１４８  表示部、１５０  処理回路、１５１  アンプ回路、１５２  フィルタ回路、１５３  Ａ／Ｄコンバータ、１５４，４１１  ＣＰＵ、１５５  メモリ、１６０電源、１８０  アラインメントマーク、２００  外部電極接続ユニット、２１０  コネクタ部、２１２  端子、２１３  遮蔽部、２２０  ケーブル、２３１，２３２，２３３  クリップ、３００  外部端末接続ユニット、３１０  コネクタ部、３１２  端子、３１３  遮蔽部、３２０  ケーブル、３３０  コネクタ、４１０  コンピュータ本体、４１２  メモリ、４１３  固定ディスク、４１４  ＦＤ駆動装置、４１５  ＣＤ−ＲＯＭ駆動装置、４１６  インターフェイス部、４１７  電源回路、４１８  コネクタ、４２０  モニタ、４３０  キーボード、４４０  マウス、５００  被験者、５１０  右手、５１１  親指、５１２  指、５２０  前腕、５３０  上腕、５４０  右肩、５５０  胸部、１５４１  測定指示受付部、１５４２  測定処理部、１５４３  電極判別部、１５４４  記憶処理部、１５４５  読出指示受付部、１５４６  読出部、１５４７  表示処理部、１５５１  ＲＯＭ、１５５２  ＲＡＭ、１５５３  フラッシュメモリ、ＥＬａ  本体電極部、ＥＬｂ  外部電極部、ＰＤ  電極パッド、ＳＹＳ  心電波形表示システム。
【図１】
2009082364.tif 000003
【図２】
2009082364.tif 000004
【図３】
2009082364.tif 000005
【図４】
2009082364.tif 000006
【図５】
2009082364.tif 000007
【図６】
2009082364.tif 000008
【図７】
2009082364.tif 000009
【図８】
2009082364.tif 000010
【図９】
2009082364.tif 000011
【図１０】
2009082364.tif 000012
【図１１】
2009082364.tif 000013
【図１２】
2009082364.tif 000014
【図１３】
2009082364.tif 000015
【図１４】
2009082364.tif 000016
【図１５】
2009082364.tif 000017
【図１６】
2009082364.tif 000018
【図１７】
2009082364.tif 000019
【図１８】
2009082364.tif 000020
【図１９】
2009082364.tif 000021
【図２０】
2009082364.tif 000022
【図２１】
2009082364.tif 000023
【図２２】
2009082364.tif 000024
【図２３】
2009082364.tif 000025
【図２４】
2009082364.tif 000026